(57)【要約】      （修正有）【課題】内部への浸水を確実に防止することができ、防水性および動作信頼性の向上を図った屋外配電盤を提供する。【解決手段】通気ギャラリー７と吹込み防止板９との間には、吸気口２全体を閉鎖する大きさの防護シールド１０が上下方向にスライド自在に配置されている。防護シールド１０には、防護シールド１０を所定の開放位置に係止するストッパ１１が設けられている。ストッパ１１には、ストッパ１１による防護シールド１０の係止を外す係止解除部１２が設置されている。係止解除部１２には閉鎖指令受信部１３が接続されている。閉鎖指令受信部１３が外部から閉鎖指令を受け取ると、係止解除部１２はストッパ１１による防護シールド１０の係止を外し、防護シールド１０が下降して吸気口２を閉鎖する。【選択図】図２
2017200298.tif 000002
【特許請求の範囲】
【請求項１】
屋外配電盤に形成される開口部を閉じるための防護シールドと、
前記開口部を開放する位置に前記防護シールドを係止するストッパと、
屋外配電盤の外部から前記防護シールドの閉鎖指令を受け取る閉鎖指令受信部と、
前記閉鎖指令受信部が前記閉鎖指令を受け取ると前記ストッパによる前記防護シールドの係止を外す係止解除部と、を備え、
前記防護シールドは、前記係止解除部が前記防護シールドの係止を外すと前記開口部を閉鎖する位置に移動するように設けた屋外配電盤。
【請求項２】
屋外配電盤に形成される開口部を閉じるための防護シールドと、
前記開口部を開放する位置に前記防護シールドを係止するストッパと、
屋外配電盤の内部への浸水を含む異常状態を検知する異常監視センサと、
前記異常監視センサが前記異常状態を検知すると前記ストッパによる前記防護シールドの係止を外す係止解除部と、を備え、
前記防護シールドは、前記係止解除部が前記防護シールドの係止を外すと前記開口部を閉鎖する位置に移動するように設けた屋外配電盤。
【請求項３】
屋外配電盤の外部から前記防護シールドの閉鎖指令を受け取る閉鎖指令受信部を備え、
前記係止解除部は、前記閉鎖指令受信部が前記閉鎖指令を受け取ると前記ストッパによる前記防護シールドの係止を外すように設けた請求項２に記載の屋外配電盤。
【請求項４】
前記異常監視センサは、水センサまたは風センサである請求項２または３に記載の屋外配電盤。
【請求項５】
前記異常監視センサを前記開口部に近接して設置した請求項２〜４のいずれかに記載の屋外配電盤。
【請求項６】
複数の屋外配電盤が列盤を構成するとき、列盤に属する屋外配電盤の防護シールドは、列盤に属する少なくとも一つの屋外配電盤の防護シールドが開口部を閉鎖すると、列盤に属する他の屋外配電盤の防護シールドも開口部を閉鎖するように構成した請求項１〜５のいずれかに記載の屋外配電盤。
【請求項７】
遮断器を有する屋外配電盤であって、
屋外配電盤の内部温度を検出する温度センサと、
前記温度センサが所定の温度を上回る温度を検出すると、前記遮断器へ開放指令を出力する開放指令出力部と、
を備えた請求項１〜６のいずれかに記載の屋外配電盤。
【請求項８】
複数の屋外配電盤が列盤を構成するとき、前記開放指令出力部は、列盤に属する少なくとも一つの屋外配電盤の前記遮断器へ開放指令を出力すると、列盤に属する他の屋外配電盤の前記遮断器へも開放指令を出力するように構成した請求項７に記載の屋外配電盤。
【請求項９】
前記防護シールドは、上下方向にスライド自在であって、下降した位置で前記開口部を閉じるように設けた請求項１〜８のいずれかに記載の屋外配電盤。
【発明の詳細な説明】
【技術分野】
【０００１】
本発明の実施形態は、水の浸入を防ぐようにした屋外配電盤に関するものである。
【背景技術】
【０００２】
一般に、屋外配電盤の下部には空気を取り入れる吸気口が設けられており、屋外配電盤の上部には、空気を排出する排気口が設けられている。このうち、吸気口は、配電盤の扉の下部などに形成されており、排気口は、屋外配電盤の廂部分などに近接して設けられている。吸気口には、ごみなどの異物の侵入を防ぐ通気ギャラリーが取り付けられている。
【０００３】
通気ギャラリーの内側には、細かい塵埃が配電盤の内部へ吹込まないように吹込み防止部材が取り付けられている。吹込み防止部材としては、通気ギャラリー全体を覆うように設置される吹込み防止カバーや、通気ギャラリーの内側上部に設置される吹込み防止板などがある。
【０００４】
吹込み防止部材を通過した空気は、屋外配電盤の内部へと流れ込んで上昇し、屋外配電盤上部の排気口から外部へと流れ出る。このような空気の流れにより、屋外配電盤の構成機器を冷やすことができ、屋外配電盤の動作信頼性を高めることができる。
【先行技術文献】
【特許文献】
【０００５】
【特許文献１】特許第４１７２９６１号
【発明の概要】
【発明が解決しようとする課題】
【０００６】
近年、異常気象が重なり、今まで観測しなかったほどの強い暴風雨や、想定し得なかった暴風雨が発生する事象が確認されている。そのため、吸気口は勿論のこと、排気口からでさえ、屋外配電盤の内部に雨水が浸入する可能性がある。特に、未舗装地に設置された屋外配電盤では、強い風によって吹き上げられた大量の泥水が吸気口に流れ込み、吸気口を塞いでしまうおそれがある。そこで近年では、配電盤内部への浸水を確実に防止することができる屋外配電盤が待たれていた。
【０００７】
本実施形態は、上記の課題を解決するために提案されたものであり、その目的は、内部への浸水を確実に防止することができ、防水性および動作信頼性の向上を図った屋外配電盤を提供することにある。
【課題を解決するための手段】
【０００８】
上記目的を達成するために、本発明の実施形態に係る屋外配電盤は、次の構成要素（１）〜（５）を備えている。
（１）屋外配電盤に形成される開口部を閉じるための防護シールド。
（２）前記開口部を開放する位置に前記防護シールドを係止するストッパ。
（３）屋外配電盤の外部から前記防護シールドの閉鎖指令を受け取る閉鎖指令受信部。
（４）前記閉鎖指令受信部が前記閉鎖指令を外部から受け取ると前記ストッパによる前記防護シールドの係止を外す係止解除部。
（５）前記防護シールドは、前記係止解除部が前記防護シールドの係止を外すと前記開口部を閉鎖する位置に移動するように設ける。
【０００９】
また、本発明の実施形態に係る屋外配電盤は、次の構成要素（ａ）〜（ｅ）を備えるようにしてもよい。
（ａ）屋外配電盤に形成される開口部を閉じるための防護シールド。
（ｂ）前記開口部を開放する位置に前記防護シールドを係止するストッパ。
（ｃ）外配電盤の内部への浸水を含む異常状態を検知する異常監視センサ。
（ｄ）前記異常監視センサが前記異常状態を検知すると前記ストッパによる前記防護シールドの係止を外す係止解除部。
（ｅ）前記防護シールドは、前記係止解除部が前記防護シールドの係止を外すと前記開口部を閉鎖する位置に移動するように設ける。
【図面の簡単な説明】
【００１０】
【図１】第１の実施形態の側面図。
【図２】第１の実施形態の要部の構成を示す図。
【図３】第１の実施形態の要部の構成を示す図。
【図４】第１の実施形態のフローチャート。
【図５】第２の実施形態の要部の構成を示す図。
【図６】第２の実施形態のフローチャート。
【図７】第３の実施形態の要部の構成を示す図。
【図８】第３の実施形態のフローチャート。
【図９】他の実施形態の要部の構成を示す図。
【発明を実施するための形態】
【００１１】
（１）第１の実施形態
（構成）
図１〜図４を参照して、第１の実施形態に係る屋外配電盤１について具体的に説明する。図１に示すように、屋外配電盤１の前面に取り付けられた扉部下部および背面下部には、吸気口２が形成されている。吸気口２の上方には、各種の保護装置や監視制御装置（不図示）を組み込んだ本体部３が配置されている。
【００１２】
本体部３の上部には廂３ａが設けられており、廂３ａの前後付近には、下方に開口部を向けた排気口４が形成されている。本体部３の底面部には、本体部３の内部空間と、吸気口２とを連通する換気口５が開口されており、本体部３の上面部には、本体部３の内部空間と、排気口４とを連通する換気口６が開口されている。
【００１３】
このような屋外配電盤１では、吸気口２から入った空気が換気口５を通って本体部３の内部空間を上昇し、換気口６を通過して排気口４から外部へと流れ出ていく。上記の空気の流れを作ることにより、本体部３の内部空間に熱がこもることがなく、屋外配電盤１は正常に動作することができる。
【００１４】
図２に示すように、吸気口２には、ごみなどの異物の侵入を防ぐために通気ギャラリー７が取り付けられている。通気ギャラリー７は水平方向に延びる複数の平行な開口部７ａと、各開口部７ａを覆う円弧状のカバー部７ｂとを有している。カバー部７ｂがあるため、開口部７ａと重なる吸気口２には、下方から空気が流れ込むようになっている。
【００１５】
通気ギャラリー７の内側には、通気ギャラリー７と向かい合うようにして、吹込み防止カバー８が設置されている。また、通気ギャラリー７の内側上部には吹込み防止板９が設置されている。吹込み防止板９は先端部が換気口５に対して傾斜しており、細かい塵埃が換気口５を抜けて本体部３内部へ吹込むことを防いでいる。
【００１６】
通気ギャラリー７と吹込み防止板９との間には、吸気口２を閉鎖するための防護シールド１０が上下方向にスライド自在に配置されている。防護シールド１０は例えば、薄いアルミ板などからなる。図２は防護シールド１０が開いている状態、図３は防護シールド１０が閉じている状態を示している。これらの図に示すように、防護シールド１０は、最も上昇した位置で吸気口２全体を開放し、最も下降した位置で吸気口２全体を閉じるように設けられている。
【００１７】
防護シールド１０には、吸気口２を開放する位置に防護シールド１０を係止するストッパ１１が設けられている。ストッパ１１には、防護シールド１０を下方から支える突起あるいは防護シールド１０側に貫通孔を設けてこの貫通孔に挿入されるピンなどが設けられている。ストッパ１１には、防護シールド１０の係止を外すための係止解除部１２が設置されている。
【００１８】
係止解除部１２には閉鎖指令受信部１３が接続されている。閉鎖指令受信部１３は、防護シールド１０が閉鎖動作を行うための閉鎖指令を、屋外配電盤１の外部から受け取る部分である。屋外配電盤１の外部とは、例えば、雨量計や風向計などの情報を基にして異常気象を判断可能な遠方監視装置とする。
【００１９】
係止解除部１２は、ストッパ１１による防護シールド１０の係止を外す機構を有する部分である。係止解除部１２は、例えばストッパ１１に含まれる突起あるいはピンなどに係合するソレノイドなどが設置されている。このような係止解除部１２では、閉鎖指令受信部１３が閉鎖指令を受け取ると、ソレノイドなどが動作して突起あるいはピンなどがストッパ１１側から外れるように構成されている。係止解除部１２が防護シールド１０の係止を外すと、防護シールド１０は自重によって吸気口２を閉鎖する位置まで落下するようになっている。  吸気口２の下部付近には、Ｌ字状のシールド保持部２３が設けられている。シールド保持部２３は、吸気口２を閉鎖した時の防護シールド１０を下方から受け止めるための部材である。
【００２０】
（作用）
防護シールド１０の閉鎖処理について、図４のフローチャートを参照して説明する。ステップＳ１では、防護シールド１０が自動操作であるか否かを確認し、自動操作でなければ（S01:No）、処理を終了する。防護シールド１０が自動操作である場合（S01:Yes）、閉鎖指令受信部１３が、遠方監視装置から防護シールド１０が閉鎖動作を行うための閉鎖指令を受け取ると（S02:Yes）、係止解除部１２がストッパ１１による防護シールド１０の係止を外す。そのため、防護シールド１０が自重により落下し、通気ギャラリー７と吹込み防止板９との隙間をスライドして、吸気口２を閉鎖する（S03）。
【００２１】
（効果）
第１の実施形態は、吸気口２を閉鎖する防護シールド１０と、防護シールドを係止するストッパ１１と、閉鎖指令を遠方監視装置から受け取る閉鎖指令受信部１３と、ストッパ１１による防護シールド１０の係止を外す係止解除部１２と、を備えている。このような第１の実施形態では、遠方監視装置が異常気象を判断して防護シールド１０の閉鎖指令を出力したとき、閉鎖指令受信部１３が当該閉鎖指令を受け取ると、係止解除部１２がストッパ１１による防護シールド１０の係止を外すことで、防護シールド１０が吸気口２を閉鎖することができる。
【００２２】
したがって、暴風雨などによって泥水が吸気口２に向かって吹き上げられたとしても、防護シールド１０が泥水を遮断するため、泥水が吸気口２に流れ込む心配が無い。その結果、想定外の異常気象が発生しても、屋外配電盤１の本体部３への浸水を防止することができる。これにより、第１の実施形態に係る屋外配電盤１では、防水性が向上し、異常気象の発生時でも優れた安全性および動作信頼性を確保することができる。
【００２３】
また、第１の実施形態では、防護シールド１０が自重を利用して閉鎖しているため、防護シールド１０を駆動される機構を設ける必要が無く、構成の簡略化を進めることができる。さらに、第１の実施形態においては、通常時はストッパ１１が防護シールドを係止するため、吸気口２の開放を維持することができ、屋外配電盤１の換気が阻害されることがない。
【００２４】
（２）第２の実施形態
（構成）
図５および図６を参照して、第２の実施形態に係る屋外配電盤１４について具体的に説明する。第２の実施形態の基本的な構成は、上記第１の実施形態と同様であり、同一部材に関しては同一の符号を付して説明は省略する。
【００２５】
図５の側面図に示すように、屋外配電盤１４には、配電盤の本体部３の内部への浸水を監視する異常監視センサ１５が設けられている。異常監視センサ１５は所定量以上の水が存在することを異常状態として検知する水センサである。異常監視センサ１５は、換気口５に近接して配置されている。異常監視センサ１５には係止解除部１２が接続されている。係止解除部１２は異常監視センサ１５が異常を検出すると、ストッパ１１による防護シールド１０の係止を外すように構成されている。
【００２６】
（作用）
第２の実施形態に係る防護シールド１０の閉鎖処理について、図６のフローチャートを参照して説明する。ステップＳ１１では、防護シールド１０が自動操作であるか否かを確認し、自動操作でなければ（S11:No）、処理を終了する。
【００２７】
防護シールド１０が自動操作である場合（S11:Yes）、異常監視センサ１５が異常を検出すると（S12:Yes）、係止解除部１２がストッパ１１による防護シールド１０の係止を外す。そのため、防護シールド１０が自重により落下し、通気ギャラリー７と吹込み防止板９との隙間をスライドして、吸気口２を閉鎖する（S13）。
【００２８】
（効果）
以上のような第２の実施形態では、吸気口２を閉鎖する防護シールド１０と、防護シールドを係止するストッパ１１と、内部への浸水といった異常状態を監視する異常監視センサ１５と、ストッパ１１による防護シールド１０の係止を外す係止解除部１２と、を備えている。このため、異常監視センサ１５が異常状態を検知すれば、係止解除部１２がストッパ１１による防護シールド１０の係止を外して、防護シールド１０が吸気口２を閉鎖することができる。
【００２９】
したがって、第２の実施形態に係る屋外配電盤１４では、遠方監視装置などの外部からの閉鎖指令を待つことなく、本体部３への浸水を確実に防止するとができる。このような第２の実施形態によれば、局所的に急速に暴風雨などが発達して、遠方監視装置などの外部からの閉鎖指令が届く前に本体部３への浸水が発生するといったリスクを回避することができ、安全性がいっそう向上する。
【００３０】
（３）第３の実施形態
（構成）
図７および図８を参照して、第３の実施形態に係る屋外配電盤１６について具体的に説明する。第３の実施形態の基本的な構成は、上記第１および第２の実施形態と同様であり、同一部材に関しては同一の符号を付して説明は省略する。
【００３１】
図７の側面図に示すように、第３の実施形態は、閉鎖指令受信部１３と異常監視センサ１５とを有している。第３の実施形態では、閉鎖指令受信部１３が外部からの閉鎖指令を受け取るか、あるいは、異常監視センサ１５が異常状態を検知すると、係止解除部１２がストッパ１１による防護シールド１０の係止を外して、防護シールド１０が吸気口２を閉鎖するようになっている。係止解除部１２がストッパ１１による防護シールド１０の係止を外すタイミングは、閉鎖指令受信部１３が閉鎖指令を受け取った時点か、異常監視センサ１５が異常状態を検知した時点のどちらでもよく、順番は問わない。
【００３２】
また、第３の実施形態では、遮断器１７と、温度センサ１８と、開放指令出力部１９と、が設けられている。遮断器１７は、屋外配電盤１６に組み込まれており、屋外配電盤１６への負荷電流を遮断する機器である。温度センサ１８は、屋外配電盤１６の内部温度を検出するために本体部３に設置されている。開放指令出力部１９は、係止解除部１２がストッパ１１による防護シールド１０の係止を外しているとき、温度センサ１８が所定の温度を上回る温度を検出すると、遮断器１７へ開放指令を出力する部分である。
【００３３】
（作用）
第３の実施形態に係る防護シールド１０の閉鎖処理および遮断処理について、図８のフローチャートを参照して説明する。ステップＳ２１では、防護シールド１０が自動操作であるか否かを確認し、自動操作でなければ（S21:No）、処理を終了する。
【００３４】
防護シールド１０が自動操作である場合（S21:Yes）、閉鎖指令受信部１３が外部から閉鎖指令を受け取るか（S22:Yes）、あるいは、異常監視センサ１５が異常状態を検出すれば（S23:Yes）、係止解除部１２はストッパ１１による防護シールド１０の係止を外す。そのため、防護シールド１０が自重により落下して吸気口２を閉鎖する（S24）。続いて、ステップＳ２５では、温度センサ１８が、屋外配電盤１６の内部温度を検出しており、所定の温度以上であれば（S25:Yes）、開放指令出力部１９は遮断器１７へ開放指令を出力する（S26）。
【００３５】
（効果）
以上のような第３の実施形態では、閉鎖指令受信部１３が外部から閉鎖指令を受け取るか、あるいは、異常監視センサ１５が異常状態を検知すれば、防護シールド１０が吸気口２を閉鎖することができる。したがって、万が一、異常監視センサ１５が故障したとしても、外部からの閉鎖指令により、防護シールド１０を確実に閉鎖することが可能である。これにより、第３の実施形態に係る屋外配電盤１６では、優れた防水性および安全性を発揮することができる。
【００３６】
防護シールド１０を閉鎖すると、屋外配電盤１６は空気の循環がなくなるため、屋外配電盤１６内で動作する機器を熱源として、屋外配電盤１６の内部温度が過度に上昇し、本体部３に組み込まれた機器にダメージを与える可能性がある。そこで第３の実施形態では屋外配電盤１６の内部温度が所定以上となるかどうかを、温度センサ１８が監視している。
【００３７】
そして、屋外配電盤１６の内部温度が所定以上となったことを、温度センサ１８が検知すれば、開放指令出力部１９は遮断器１７へ開放指令を出力して、遮断器１７は開放動作を行う。このような第３の実施形態に係る屋外配電盤１６によれば、屋外配電盤１６の内部機器を、浸水から守るだけではなく、防護シールド１０閉鎖後の過度の温度上昇にも対処することができる。これにより、本体部３に組み込まれた機器の故障を確実に防ぐことが可能であり、動作信頼性が一層向上する。
【００３８】
（３）他の実施形態
上記の実施形態は、本明細書において一例として提示したものであって、発明の範囲を限定することを意図するものではない。すなわち、その他の様々な形態で実施されることが可能であり、発明の範囲を逸脱しない範囲で、種々の省略や置き換え、変更を行うことが可能である。これらの実施形態やその変形例は、発明の範囲や要旨に含まれると同様に、特許請求の範囲に記載された発明とその均等の範囲に含まれるものである。
【００３９】
[1]複数の屋外配電盤が同一系統であって列盤を構成するとき、列盤に属する屋外配電盤の防護シールドは、列盤に属する少なくとも一つの屋外配電盤の防護シールドが開口部を閉鎖すると、列盤に属する他の屋外配電盤の防護シールドも開口部を閉鎖するようにしてもよい。例えば、列盤において共通の閉鎖指令受信部を設けておき、この閉鎖指令受信部が防護シールドの閉鎖指令を受け取ると、列盤に属する全ての屋外配電盤の係止解除部が一斉に外れて、防護シールドが開口部を閉鎖するようにしてもよい。また、列盤の各屋外配電盤において、列盤に属する少なくとも一つの屋外配電盤の係止解除部がストッパを外すように動作すると、列盤に属する他の屋外配電盤の係止解除部もストッパを外すように動作するようにしてもよい。
【００４０】
これらの実施形態では、屋外配電盤が列盤であれば、浸水被害を被る状況は近似していると想定して、列盤に属する屋外配電盤の防護シールドのうちのいずれかが、開口部を閉鎖すれば、残りの防護シールドも開口部を閉鎖する。以上の実施形態によれば、列盤に属する全ての屋外配電盤に、外部から閉鎖指令を受信する閉鎖指令受信部や異常監視センサを取り付ける必要が無くなり、構成の簡略化およびコストの低減化が図れる。
【００４１】
[2]第３の実施形態の変形例として、複数の屋外配電盤が列盤を構成するとき、遮断器へ開放指令を出力する開放指令出力部は、列盤に属する少なくとも一つの屋外配電盤の制御部が遮断器へ開放指令を出力すると、列盤に属する他の屋外配電盤でも遮断器へ開放指令を出力するように構成してもよい。
【００４２】
このような実施形態では、屋外配電盤が列盤であれば、防護シールド 閉鎖後の盤内温度の上昇度合いは、屋外配電盤に共通すると想定して、列盤に属する少なくとも一つの屋外配電盤の開放指令出力部が遮断器へ開放指令を出力した場合には、列盤に属する残り全ての屋外配電盤の遮断器にも開放指令を出力する。したがって、列盤内の全ての屋外配電盤に、開放指令出力部や温度センサを取り付ける必要が無くなり、構成の簡略化およびコストの低減化が図れる。
【００４３】
[3]上記の第１の実施形態では、防護シールド１０の閉鎖指令を、異常気象を判断可能な遠方監視装置から出力するとしたが、これに限らない。例えば、気象庁などの予報により台風の接近など警報が分かっている時などは、中央監視室から防護シールド１０の閉鎖指令を出力するようにしてもよい。
【００４４】
[4] 上記の第２および第３の実施形態では、異常監視センサ１５は換気口５に近接して配置した水センサとしたが、これに限定されるものではなく、配置する位置やセンサの種類などは適宜選択可能可能である。異常監視センサ１５を配置する位置としては、例えば、通気ギャラリー７に一体的に取り付けて、コンパクト化を図るようにしてもよい。また、異常監視センサ１５の種類としては、風の強さを検知する風センサであってもよいし、風センサと水センサの両方を組み合わせるようにしてもよい。
【００４５】
[5] 防護シールドの構成は、適宜変更可能である。例えば、図９に示す屋外配電盤２０には、換気口５に近接して回動自在な防護シールド２１が配置されている。防護シールド２１は、ストッパ１１が解除されると、図中を約９０度右回転するように支持されている。防護シールド２１には、右回転した時に、換気口５を上方から閉じる蓋部２１ａと、吸気口２全体を閉鎖するシールド部２１ｂとが設けられている。
【００４６】
シールド部２１ｂの上部には、通気ギャラリー７との緩衝材としてストッパ２１ｃが設けられている。シールド部２１ｂは、複数の細長い板がすだれのように連接されて収納されており、防護シールド２１が右回転した時に、自重により細長い板が順次落下して吸気口２全体を閉鎖するように構成されている。
【００４７】
このような屋外配電盤２０では、防護シールド２１のシールド部２１ｂが吸気口２を閉鎖すると共に、蓋部２１ａが換気口５を上方から閉じるため、より確実に本体部３への浸水を防ぐことができる。しかも、開放位置にある防護シールド２１は、換気口５に近接しているため、吹込み防止板９を兼ねることができ、構成の簡略化を進めることが可能である。
【００４８】
[6] 上述した実施形態では、吸気口２や換気口５を閉鎖する防護シールド１０、２１を設けたが、防護シールド１０、２１の取付位置は、浸水の可能性がある屋外配電盤の開口部であればどこでもよく、例えば、排気口４に防護シールドを取り付けるようにしてもよい。排気口４は下方に向かって開口されているため、地面に近く水平方向に開口された吸気口２に比べれば、雨水は入り難いが、風が屋外配電盤の扉に跳ね返り、雨水が入り込むことが全く無いとは言えない。特に台風が頻繁に通過する地域などでは、排気口４に防護シールド１０を取り付けることは有効である。
【００４９】
[7] 上記の実施形態では、防護シールド１０、２１が開口部を閉鎖する時の移動方向は、下方向であったが、これに限らず、例えば水平方向でもよい。水平方向に閉じる防護シールドでは、例えば、スプリングなどで水平方向に付勢することで、閉鎖動作を行うようにしてもよい。
【符号の説明】
【００５０】
１、１４、１６、２０…屋外配電盤
２…吸気口
３…本体部
４…排気口
５、６…換気口
７…通気ギャラリー
７ａ…開口部
７ｂ…カバー部
８…吹込み防止カバー
９…吹込み防止板
１０、２１…防護シールド 
１１、２１ｃ…ストッパ
１２…係止解除部
１３…閉鎖指令受信部
１５…異常監視センサ
１７…遮断器
１８…温度センサ
１９…開放指令出力部
２１ａ…蓋部
２１ｂ…シールド部
２３…シールド保持部
３２…廂
【図１】
2017200298.tif 000003
【図２】
2017200298.tif 000004
【図３】
2017200298.tif 000005
【図４】
2017200298.tif 000006
【図５】
2017200298.tif 000007
【図６】
2017200298.tif 000008
【図７】
2017200298.tif 000009
【図８】
2017200298.tif 000010
【図９】
2017200298.tif 000011